(57)【要約】      （修正有）【課題】誰でも簡単にきれいに折りたためるトイレットペーパー折りたたみ具を提供する。【解決手段】背面保持板５の下部に床板を、上部に左右一対一体型のトイレットペーパーロール芯保持具１を設け、ロール芯保持具の先端にトイレットペーパーロール芯と後方にトイレットペーパーカッター２を設ける。そのカーターの先端部にカッター持ち上げノブ４と、先端中央部に金属プレート３を取り付け、背面保持板５の上部にカッター保持アーム７を角度２０度の傾斜で固定し、先端部に磁石８を設ける。底板先端部に折りたたみ衝立ａ１０と後方部に折りたたみ衝立ｂ１１をその中央部にペーパー受け台１２を設けたトイレットペーパー折りたたみ具。【選択図】図１
2020195752.tif 000002
【特許請求の範囲】
【請求項１】
背面保持板の下部に底板を取り付け、背面保持板の上部に左右一対一体型のトイレットペーパーロール芯保持具を取り付け、トイレットペーパーロール芯保持具の先端中央部にトイレットペーパーロール芯と後方上部にトイレットペーパーカッターを設け、トイレットペーパーカッターの先端部片端にカッター持ち上げノブを設け、先端部中央に金属プレートを取り付け、背面保持板の上部中央にカッター保持アームを角度２０度の傾斜で固定し、カッター保持アームの先端部に磁石を下向きに取り付け、底板中央やや先端部に受け台底板ｂとその上後方に受け台底板ａを設け、受け台底板ｂ先端部に折りたたみ衝立ａと受け台底板ａの後方に折りたたみ衝立ｂを設け、折りたたみ衝立ａと折りたたみ衝立ｂの中央部にペーパー受け台を設けたトイレットペーパー折りたたみ具。
【発明の詳細な説明】
【技術分野】
【０００１】  本発明は、トイレットペーパーをきれいに折りたたむことができるトイレットペーパーホルダーに関するものである。
【背景技術】
【０００２】  従来、トイレットペーパーを使用する際は、トイレットペーパーホルダーの上部カッター部を片手で持ち上げ、もう一方の手でトイレットペーパーを引き出しながら折りたたみ、一定の重なりになった状態でカッター部を降ろし切断していた。
又、特許文献１では、トイレットペーパーロールに取り付けた回転ハンドルを回し、片手でトイレットペーパーを引き出すもので、特許文献２では、ロールペーパーの下部位置に切断刃を取り付けトイレットペーパーを切断する、特許文献３では、ペーパー送りローラーを手で回転させるハンドルとペーパーを受ける懐の深いペーパートレーを設け、片手でトイレットペーパーを引き出し切断し取り出せる等が知られていた。
【先行技術文献】
【特許文献】
【０００３】
【特許文献１】特開  ２０１６−１９８３３５号公報
【特許文献２】実用新案登録  第３１７９３３７号公報
【特許文献３】特開  ２００７−２０９３６９号公報
【発明の概要】
【発明が解決しようとする課題】
【０００４】  従来より、トイレットペーパーを引き出す場合、カッターとなるフタの部分を片手で持ち上げ、もう一方の手で引き出す方法が一般的であるが、トイレットペーパーの引き出しと折りたたみを同時に片手で行うため、きれいに折りたためず、折り目の長さもバラバラで非常に不揃いの状態で使用していた。
特許文献１では、取り付けたハンドルでトイレットペーパーを引き出すことはできても折りたたみは、従来と変わらずきれいにたたむ効果は期待できない。
特許文献２では、トイレットペーパーの切断は容易にできても切断刃での安全性の問題や特許文献１と同様きれいに折りたたむ効果は期待できない。
特許文献３では、ロールペーパーを片手で引き出す構造が複雑で、引き出されたロールペーパーがペーパートレーの上で自然に２重〜３重の束にまとめることはできても他の文献同様、長さを整えてきれいに折りたたむ効果は期待できない。
本発明は、以上の問題点を解決するためになされたものである。
【課題を解決するための手段】
【０００５】  背面保持板（５）の下部に底板（６）を取り付ける。背面保持板（５）の上部に左右一対型のトイレットペーパーロール芯保持具（１）を取り付け、トイレットペーパーロール芯保持具（１）の先端中央部にトイレットペーパーロール芯（１６）と後方上部にトイレットペーパーカッター（２）を設ける。トイレットペーパーカッター（２）の先端部片端にカッター持ち上げノブ（４）を設け、先端部中央に金属プレート（３）を取り付ける。背面保持板（５）の上部中央にカッター保持アーム（７）を角度２０度の傾斜で固定する。カッター保持アーム（７）の先端部に磁石（８）を下向きに取り付ける。底板（６）中央やや先端部に受け台底板ｂ（１４）とその上後方に受け台底板ａ（１３）を設け、受け台底板ｂ（１４）先端部に折りたたみ衝立ａ（１０）と受け台底板ａ（１３）後方に折りたたみ衝立ｂ（１１）を設ける。折りたたみ衝立ａ（１０）と折りたたみ衝立ｂ（１１）の中央部にペーパー受け台（１２）を設ける。
以上の構成よりなるトイレットペーパー折りたたみ具。
【発明の効果】
【０００６】  上述の解決手段により、トイレットペーパーの引き出しと折りたたみを同時に片手で行う煩わしさが無くなり、最大の特徴である、トイレットペーパーのきれいな折りたたみができるようになった。
従来のような個人差がなく無く、子供から老人を含めた大人まで誰でも同じ様に簡単にきれいな折りたたみができ、折りたたんだ長さも一定であるため、無駄な引き出しや長さの不揃いによるトイレットペーパーの無駄使いが無くなる。
【図面の簡単な説明】
【０００７】
【図１】  本発明の斜視図
【図２】  本発明の使用状態図
【図３】  図１のＡーＡ断面図
【図４】  図２のＢ−Ｂ断面図
【発明を実施するための形態】
【０００８】  以下、本発明の実施の形態を説明する。
（イ）背面保持板（５）の下部に底板（６）を取り付け、上部に左右一対一体型のトイレットペーパーロール芯保持具（１）を取り付け、トイレットペーパーロール芯保持具（１）の先端中央部にトイレットペーパーロール芯（１６）と後方上部にトイレットペーパーカッター（２）を設ける。
（ロ）トイレットペーパーカッター（２）の先端部片端にカッター持ち上げノブ（４）を設け、先端部中央に金属プレート（３）を取り付ける。
（ハ）背面保持板（５）の上部中央にカッター保持アーム（７）を一例として角度２０度の傾斜で固定する。カッター保持アーム（７）の先端部に磁石（８）を下向きに取り付ける。
（ニ）底板（６）中央部やや先端部に受け台底板ｂ（１４）とその上後方に受け台底板ａ（１３）を設け、受け台底板ｂ（１４）先端部に折りたたみ衝立ａ（１０）と受け台底板ａ（１３）後方に折りたたみ衝立ｂ（１１）を設ける。折りたたみ衝立ａ（１０）と折りたたみ衝立ｂ（１１）の中央部にペーパー受け台（１２）を設ける。
本発明は、以上のような構造である。
【０００９】  本発明を使用するときは、トイレットペーパー（９）をトイレットペーパーロール芯（１６）に取り付け、カッター持ち上げノブ（４）を手の指に軽く引っ掛けて上に持ち上げ、トイレットペーパーカッター（２）に取り付けた金属プレート（３）がカッター保持アーム（７）に取り付けた磁石（８）に引っ付くまで上げる。磁石（８）に引っ付いたトイレットペーパーカッター（２）は、トイレットペーパー（９）の上に浮いた状態で静止する。トイレットペーパーカッター（２）がトイレットペーパー（９）から上に離れた状態になっているため、トイレットペーパー（９）にトイレットペーパーカッター（２）が乗っている状態のような摩擦抵抗が無いため、トイレットペーパー（９）は片手で触る程度の軽い力で回転し下にペーパーを送り出す。下に送り出されたペーパーの先端部は、ペペーパー受け台（１２）を滑り落ち折りたたみ衝立ｂ（１１）に当り停止し、ペーパー後方はペーパー受け台（１２）を乗り越え折りたたみ衝立ａ（１０）に当り折り返しが始まる。受け台（１２）は凸状の山形形状で、トイレットペーパーの折りたたみの中心点の役割をしており、高さは一例として６０ｍｍ以上あり、この高さからの大きな落下力を利用し、トイレットペーパー（９）の自重で折り返しの先端部が途中で止まることなく最端部の両折りたたみ衝立に当たるまで降下し、長さの揃ったきれいな折りたたみが何重にも積み重なっていく。折りたたみ衝立ａ（１０）と折りたたみ衝立ｂ（１１）は共に底板に対し垂直に立っており、トイレットペーパー（９）の折り返しの先端部がこの両衝立に当たって積み重なる際、折り返しの先端部が垂直方向に一列に揃い折り返しが同じ長さになるように工夫されている。又、折りたたみ衝立ａ（１０）と折りたたみ衝立ｂ（１１）の位置は移動できるようにし、両衝立間の距離を変え、折りたたまれたトイレットペーパー（１５）の長さを調整できるようにすることが望ましい。折りたたみ衝立ａ（１０）と折りたたみ衝立ｂ（１１）と受け台（１２）の幅は、一例として３５ｍｍで、トイレットペーパー（９）の幅１１５ｍｍの約１／３程度と狭く折りたたまれたトイレットペーパー（１５）が受け台（１２）から大幅にはみ出しており、切断後に取り出しやすい構造となっている。折りたたまれたトイレットペーパー（１５）が適度の重なりになった時点で、カッター持ち上げノブ（４）を下に押しトイレットペーパーカッター（２）をカッター保持アーム（７）の磁石（８）より下に引き離す。引き離されたトイレットペーパーカッター（２）はトイレットペーパー（９）の上に接触して停止する。カッター持ち上げノブ（４）を下に押えトイレットペーパー（９）を切断する。折りたたまれたトイレットペーパー（１５）は、きれいに折りたたまれた状態になるため、無駄な引き出しや長さの不揃いが無く、トイレットペーパー使用量の節約にもなる。又、子供から大人まで誰でも個人差無く同じように簡単にきれいに折りたたむことができ、得手不得手を無くした優れものである。
【００１０】ロールペーパー使用開始当初より、現在に至る長年の間折りたたみに関し、方法の統一化等の改善の取り組みが全くなされてこなかったのが実状である。従って、トイレの個室で行われる個人個人のやり方は見られませんが、各自が思い思いで千差万別の折りたたみ方法を行っているものと思われる。
本発明は、初めてこの折りたたみ方法に関してのテーマに取り組み、誰でも片手だけで同じように簡単にきれいに折りたたむことができる治具を提供する。
【符号の説明】
【００１１】１  トイレットペーパーロール芯保持具、２  トイレットペーパーカッター、３  金属プレート、４  カッター持ち上げノブ、５  背面保持板、６  底板、７  カッター保持アーム、８  磁石、９  トイレットペーパー、１０  折りたたみ衝立ａ、１１  折りたたみ衝立ｂ、１２  ペーパー受け台、１３  受け台底板ａ、１４  受け台底板ｂ、１５  折りたたまれたトイレットペーパー、１６  トイレットペーパーロール芯、
【図１】
2020195752.tif 000003
【図２】
2020195752.tif 000004
【図３】
2020195752.tif 000005
【図４】
2020195752.tif 000006